(57)【要約】【課題】  優れた通信機能を備えたカメラを提供する。【解決手段】  カメラ本体と、撮影又は画像観察を行うために、カメラ本体に対して突出および格納が可能に設けられた可動部（５）と、可動部に設けられ、無線通信を行うためのアンテナ（８）とを有することを特徴とするカメラ。【選択図】  図５
2006135385.tif 000002
【特許請求の範囲】
【請求項１】
カメラ本体と、
撮影又は画像観察を行うために、前記カメラ本体に対して突出および格納が可能に設けられた可動部と、
該可動部に設けられ、無線通信を行うためのアンテナとを有することを特徴とするカメラ。
【請求項２】
前記可動部は、レンズ鏡筒であることを特徴とする請求項１に記載のカメラ。
【請求項３】
前記可動部は、発光ユニットであることを特徴とする請求項１に記載のカメラ。
【請求項４】
前記可動部は、ディスプレイであることを特徴とする請求項１に記載のカメラ。
【請求項５】
前記アンテナの長手方向が、前記可動部の突出格納方向に対して略平行であることを特徴とする請求項１から４のいずれか１つに記載のカメラ。
【請求項６】
前記アンテナの長手方向が、前記可動部の突出格納方向に対して略直交することを特徴とする請求項１から４のいずれか１つに記載のカメラ。
【請求項７】
前記可動部は、回転可能な回転部材を含み、
前記アンテナが該回転部材に設けられていることを特徴とする請求項１から６のいずれか１つに記載のカメラ。
【請求項８】
前記回転部材を回転駆動して前記アンテナの感度調整を行う制御手段を有することを特徴とする請求項７に記載のカメラ。
【請求項９】
前記アンテナを介して無線通信を行う通信手段と、
少なくとも撮影モードと通信モードとの選択が可能なモード選択手段と、
前記通信モードが選択された場合に、前記通信手段を作動させるとともに、前記可動部を所定の突出位置に駆動する制御手段とを有することを特徴とする請求項１から８のいずれか１つに記載のカメラ。
【請求項１０】
少なくとも撮影モードと通信モードとの選択が可能なモード選択手段と、
前記通信モードが選択された場合に、前記アンテナのグランド接点と前記カメラの導電性外装部材とが接続される位置に前記可動部を駆動する制御手段とを有することを特徴とする請求項１から９のいずれか１つに記載のカメラ。
【発明の詳細な説明】
【技術分野】
【０００１】
本発明は、無線通信を行うアンテナを有するカメラに関する。
【背景技術】
【０００２】
基板実装型アンテナ、或いは配線基板パターンによって構成されるアンテナと、少なくともＲＦ部とを同一の配線基板上に配置したカメラが、特許文献１に開示されている。このカメラは、前記配線基板を筐体に対して可動な構造とし、前記配線基板を移動させることで無線通信時には前記アンテナを筐体外部に突出させ、無線通信時以外には前記配線基板を筐体内部に収納する構成となっている。
【特許文献１】特開２００３−１２４７２２号公報（第３図、第４図）
【発明の開示】
【発明が解決しようとする課題】
【０００３】
しかしながら、特許文献１に開示されている「携帯電子機器、及び無線通信方法」においては、アンテナを実装するにあたり、専用部材（無線基板）を設け、この専用部材にアンテナのみを実装する構成となっている。基本構造としては、携帯電話機などに用いられる格納型のロットアンテナと類似している。したがって、アンテナを実装するために複雑な機構が必要となり、携帯電子機器の小型化、軽量化、低コスト化を妨げていた。
【０００４】
そこで、本願発明は、複雑な機構を設けることなく、無線通信を行うアンテナを理想的な位置に配置することを目的の一つとしている。
【課題を解決するための手段】
【０００５】
上記課題を解決するために本願発明のカメラは、一つの観点として、カメラ本体と、撮影又は画像観察を行うために、カメラ本体に対して突出および格納が可能に設けられた可動部と、可動部に設けられ、無線通信を行うためのアンテナとを有することを特徴とする。
【発明の効果】
【０００６】
本願発明によれば、カメラ本体に対して突出した位置に移動可能な可動部にアンテナを配置しているため、カメラ本体に含まれる金属材料などによって、無線通信が妨げられるおそれを軽減することができる。
【発明を実施するための最良の形態】
【０００７】
以下、本発明の実施例について図面を参照しながら詳細に説明する。
（実施例１）
図１は、デジタルカメラの正面斜視図である。図２及び図３は、図１の一点鎖線Ａにおけるデジタルカメラの断面図であり、図２の状態は沈胴状態であり、図３の状態は撮影状態を示している。図４及び図5は、図1の一点鎖線Ｂにおけるデジタルカメラの断面図であり、図4の状態は沈胴状態であり、図5の状態は撮影状態を示している。図７及び図８は、カメラの正面図であり、これらの図は互いにレンズ鏡筒の位置が異なっている。図２２は沈胴状態にあるときの図1のデジタルカメラを上から見た図であり、図２３は撮影状態にあるときの図1のデジタルカメラを上から見た図である。
【０００８】
これらの図において、１はカメラの上面に設けられた電源スイッチ、２は電源スイッチ１の隣に設けられたレリーズボタンスイッチである。そして、３は撮影者が被写体を観察するための光学ファインダー、４は撮影時に被写体に対してストロボ発光光を照射する照明ユニット、５は光軸方向に進退してズーミング及びフォーカシングが可能なレンズ鏡筒（可動部）、８は無線通信を行うためのアンテナである。このアンテナ８へのエネルギの供給は、図４及び図５に示すケーブル８１によって行われる。
【０００９】
５１は第１レンズユニット、５２は第２レンズユニット、５３は第１レンズユニット５１および第２レンズユニット５２を保持する保持筒、５４は固定筒、５５は光電変換素子（例えば、ＣＣＤセンサ、ＣＭＯＳセンサ）である。
【００１０】
次に、本実施例のデジタルカメラの内部構成について図６を用いて説明する。ここで、図６はデジタカメラの機能ブロック図である。
【００１１】
同図において、２２は光電変換素子５５の出力信号を映像信号に変換するための相関二重サンプリング回路（以下「ＣＤＳ回路」という）、２３はＣＤＳ回路２２から出力されるアナログ信号をデジタル信号に変換するアナログデジタル変換回路（以下「ＡＤ回路」という）である。
【００１２】
２４は色信号処理、輝度信号処理など各種信号処理を行うデジタル信号処理回路（以下「ＤＳＰ回路」という）、２５は光電変換素子５５の水平転送部を駆動するためのＣＣＤ水平転送駆動回路（以下「ＨＤｒ回路」という）、２６は光電変換素子５５の垂直転送部を駆動するためのＣＣＤ垂直転送駆動回路（以下「ＶＤｒ回路」という）である。
【００１３】
２７は基準同期信号を入力し、この基準信号により光電変換素子５５の駆動および信号処理に必要な各種パルスを生成するタイミングジェネレータ（以下「ＴＧ」という）、２８はデジタルカメラ全体の制御を司る制御回路（制御手段）、２９はフォーカス用レンズ１０を駆動するためのレンズ駆動回路である。
【００１４】
３１は絞りとシャッターを駆動するための絞り駆動回路、３２は光電変換素子５５への入射光量を制御するとともに露光時間を制御するための絞り兼シャッターである。３４は各種スイッチで構成される操作部材、３５は水晶発振回路を有し、メインクロックおよび水平同期信号（以下「ＨＤS」という）と垂直同期信号（以下「ＶＤS」という）を発生し、制御回路２８およびＴＧ２７を動作させるための基準信号発生回路である。
【００１５】
３６はＬＣＤ３７を駆動するためのＬＣＤドライバ回路（以下「ＬＣＤＤｒ回路」という）、３７は被写体像をモニタし、記録画像を再生表示するための表示装置（ここでは液晶表示装置とし、以下「ＬＣＤ」という）、３８はデータを一時的に記憶するための内部メモリである。
【００１６】
３９は外部メモリとデータ送受するためのインターフェース回路、４０は画像データを保存するための着脱式メモリ、４２は無線信号の送受信を行うＲＦ送受信回路、４３は無線周波数から中間周波数へ変換および中間周波数から無線周波数へ変換するためのＲＦ／ＩＦ変換回路、４４は基本周波数での信号処理を行うベースバンド処理回路、４５はＪＰＥＧなどの画像データをパケット形式データへ変換またはパケット形式データから画像データへ変換するためのＭＡＣ（Ｍｅｄｉａ  Ａｃｃｅｓｓ  Ｃｏｎｔｒｏｌ）制御部、４６はＭＡＣ制御部４５とデータを送受信するためのインターフェース回路、４７はデータの受け渡しを行うデータバスライン、４８は音声信号処理を行うオーディオアンプ回路、４９は電気信号を音声信号へ変換するスピーカ、５０はレンズ鏡筒を駆動するためのレンズ鏡筒駆動回路である。
【００１７】
次に、デジタルカメラの動作を説明する。操作部材３４の操作によってカメラに電源が投下され、撮影モードが選択されると、レンズ鏡筒駆動回路５０によりレンズ鏡筒５が光軸方向前方に配置される撮影領域に駆動される。
【００１８】
被写体像は撮影レンズ１０を透過して、絞り兼シャッター３２により光量が調節され、撮像素子５５の撮像面に被写体像として結像する。撮像素子５５では光電変換により被写体像が電気信号に変換され、ＣＣＤ信号としてＣＤＳ２２に出力される。基準信号発生回路３５で生成されるメインクロック、ＨＤ及びＶＤはＴＧ２７へ出力され、これらの信号を基準にＴＧ２７では、ＣＣＤ水平転送パルス、ＣＣＤ垂直転送パルス、ＣＣＤフィールドシフトパルス、電子シャッターパルス、ＯＢクランプパルスを生成する。そして、ＣＣＤ水平転送パルスはＨＤｒ回路２５へ、ＣＣＤ垂直転送パルス、ＣＣＤフィールドシフトパルスおよび電子シャッターパルスはＶＤｒ回路２６へ、ＯＢクランプパルスはＣＤＳ回路２２へ出力される。ＶＤｒ回路２６では、ＴＧ２７から出力されるＣＣＤ垂直転送用パルスおよびＣＣＤフィールドシフトパルスに基づき、これらを組み合わせて、光電変換素子５５の垂直転送部を十分に駆動できる信号振幅と周波数特性を保持した３値（Ｈ（高電位），Ｍ（中電位），Ｌ（低電位）レベル）の信号に変換し、撮像素子５５の垂直転送駆動部へ出力する。撮像素子５５では、入力されたこれらの信号に基づき、フィールドシフトパルスに相当する“Ｈ”レベルの信号が入力された時に、撮像素子５５のフォトダイオードに蓄積された電荷を垂直転送部へ出力する。垂直転送部へ出力された電荷は、ＣＣＤ垂直転送パルスの４相２値（Ｍ、Ｌレベル）駆動により垂直転送路上を順序正しく水平転送路に転送される。
【００１９】
また、電子シャッタパルスはＶＤｒ回路２６にて、撮像素子５５を十分に駆動できる信号振幅に変換された後、撮像素子５５へ出力され、撮像素子５５での電荷蓄積時間（露光量）を制御する。撮像素子５５は、電子シャッタパルスを入力している間は、フォトダイオードの電荷をクリアし続け、電子シャッタパルスが停止した直後から露光状態となる。
【００２０】
露光終了は、絞り兼シャッター３２を閉じ方向に駆動して、外光の入射を遮断することにより行われる。ＨＤｒ回路２５では、ＴＧ２７から出力されたＣＣＤ水平転送パルスを、撮像素子５５の水平転送部を十分に駆動できる信号振幅と周波数特性を保持した信号に変換し、これを撮像素子５５の水平転送部へ出力する。リセットゲートパルスは、ＴＧ２７から直接撮像素子５５へ出力され、撮像素子５５の出力ゲート部を一定電位に固定して電荷電位変換を行う。
【００２１】
撮像素子５５では、これら水平転送パルスおよびリセットゲートパルス信号を入力することにより、電荷を水平転送部から出力アンプを通して、被写体像をＣＣＤ信号としてＣＤＳ回路２２へ出力する。
【００２２】
ＣＤＳ回路２２では、入力されたＣＣＤ出力信号のフィードスルー部とデータ部とのレベル差から映像信号を生成する。これにより、ＣＣＤ信号に含まれる低周波雑音を除去することができる。そして、この信号の基準部（ＣＣＤ内の遮光されたフォトダイオード部分（以下、「ＯＢ部」という））を新たな直流バイアスに設定し直し（直流再生、以下、「クランプ」と呼ぶ）、可変利得増幅機能により所望の感度が得られるように映像信号を増幅し、ＡＤ回路２３へ出力する。なお、フォトダイオードが形成されていないダミー信号部分を、上述の信号の基準部とする場合もある。
【００２３】
ＡＤ回路２３では、ＣＤＳ回路２２から出力された映像信号を、アナログ信号からデジタル信号（例えば10ビット信号）に変換し、これをＤＳＰ回路２４に出力する。ＡＤ回路２３の出力は、上述したＯＢ部が常に一定の値（例えばフルレンジ１０２４ＬＳＢ中の３２ＬＳＢ）となるように設定する。従って、映像信号は３２から１０２３ＬＳＢのなかで表現されることになる。
【００２４】
ＤＳＰ回路２４では、入力された映像信号としてのデジタル信号を、信号処理により輝度信号および色信号を再生する。また、映像信号を利用して露出制御を行うための露出基準信号、ホワイトバランス制御を行うためのホワイトバランス基準信号及びフォーカス制御を行うためのフォーカス基準信号を生成する。
【００２５】
ＤＳＰ回路２４で処理された画像データは、データバスライン４７を介して、内部メモリ３８に一時的に記憶される。さらに、この画像データは、ＤＳＰ回路２４によって、ＬＣＤ３７ヘ表示するための表示データ信号に変換（一般的にＲ，Ｇ，ＢまたはＹ，ＲＹ，ＢＹなどの形式）され、ＬＣＤＤｒ回路３６へ出力される。ＬＣＤＤｒ回路３６では、この表示データ信号をＬＣＤ３７へ表示するのに適したデータに変換（例えば、Ｒ，Ｇ，Ｂ信号に変換）するとともに、ＬＣＤ３７を最適に駆動できる信号振幅に変換し、これをＬＣＤ３７に出力する。
【００２６】
そして、レリーズボタンスイッチ２を半押し操作することにより、フォーカス制御および露出制御などの撮影準備動作が開始され、ＬＣＤ３７に表示された被写体像をモニタしながら、構図を決定する。続いて、レリーズボタンスイッチ２を全押し操作すると、撮影動作が開始され、その時の静止画像を取得することができる。
【００２７】
この撮影動作の際に、デジタル信号に変換された映像信号に対して、ＤＳＰ回路２４にて信号処理を施し、輝度信号および色信号を再生するとともに、これを内部メモリ３８に一時的に記憶する。そして、ＤＳＰ回路２４において、内部メモリ３８から読み出した画像データを可逆的または非可逆的な画像符号化データ（ここでは一般的なＪＰＥＧファイル形式のデータを意味し、以下これを「ＪＰＥＧデータ」という）に変換し、インターフェース回路３９を通して、着脱式メモリ４０（例えば、ＣＦカード、ＳＤカード）へＪＰＥＧファイルとして記憶させる。
【００２８】
無線ＬＡＮを使用して画像ファイルを他の通信装置へ送信する場合は、着脱式メモリ４０に記憶されたＪＰＥＧ画像を、インターフェース回路３９、データバスライン４７、インターフェース回路４６を介してＭＡＣ制御部４５へ送信し、ＩＥＥＥｓｔｄ８０２．１１に従って、符号化されたＪＰＥＧデータなどをパケット形式データに変換し、無線で送信するフレームの組み立て、分解や制御フレームの生成、無線通信チャネルの獲得制御、通信速度の制御など送信信号処理を実行する。
【００２９】
そして、フレーム化されたデータは、ベースバンド処理回路４４へ送られ、変調化され、ＲＦ／ＩＦ変換回路４３へ送られる。ＲＦ／ＩＦ変換回路４３では、送信用中間周波数（ＩｎｔｅｒｍｅｄｉａｔｅＦｒｅｑｕｅｎｃｙ：以下「ＩＦ」という）信号のフィルタリングと位相変調が行われ、この信号は、ＲＦ送受信回路４２へ出力される。ここで、ＩＦ信号は無線周波数（ＲａｄｉｏＦｒｅｑｕｅｎｃｙ：以下ＲＦ）信号に変換され、所定の増幅率により増幅された後、アンテナ８から他の通信装置に送信される。
【００３０】
逆に、無線ＬＡＮを使用して画像ファイルを他の通信装置から受信する場合には、アンテナ８を介して、ＲＦ送受信回路４２において無線信号を受信する。この受信信号は、ＲＦ／ＩＦ変換回路４３においてＲＦ信号からＩＦ信号に変換され、この受信用ＩＦ信号に対してフィルタリング及び位相復調を行う。ＲＦ／ＩＦ変換回路４３から出力された信号は、ベースバンド処理回路４４へ送られ、復号化によりパケット形式データとして抽出され、ＭＡＣ制御部４５に出力される。ここで、ＩＥＥＥｓｔｄ８０２．１１に従い、パケット形式データからＪＰＥＧデータなど最終的なファイル形式に変換する。受信したＪＰＥＧ画像データは、ＭＡＣ制御部４５から、インターフェース回路４６、データバスライン４７及びインターフェース回路３９を介して、着脱式メモリ４０に記憶される。
【００３１】
次に、本実施例のカメラが通信機能を備えたプリンタと送受信する際の手順について説明する。なお、カメラとプリンタは、互いの通信圏内に配置されているとする。また、プリンタに替えて、通信手段を備えたコンピュータ、ハードディスクなどの記憶装置を用いてもよい。
【００３２】
まず、操作部材３４を操作することにより、デジタルカメラに電源を投下する。デジタルカメラには少なくとも撮影モード、再生モード、通信モードがあり、通信モードには撮影後の静止画像ファイルを無線ＬＡＮによりプリンタへ転送する静止画像転送モードと、撮影中のライブ画像を転送するライブ画像転送モードとを有している。
【００３３】
操作部材３４を構成するモード選択ダイアルを操作して、通信モードが選択された場合、図６のレンズ鏡筒駆動回路５０により鏡筒駆動モータ（例えば、ステッピングモータ、振動波モータ）にトルクがかかり、図２の保持筒５３が固定筒５４に対して所定移動量Ｄだけ光軸方向前方に移動する。ここで、保持筒５３はモールド部材で構成されており、固定筒５４及び保持筒５３は、これらに形成されたカム及びカムフォロアを介して係合している。そして、鏡筒駆動モータの駆動力を受けて、保持筒５３が、光軸周りに回転動作を開始すると、保持筒５３及び固定筒５４のカム係合作用により、保持筒５３は、光軸方向に進退する。なお、保持筒５３の移動量である所定移動量Ｄは、アンテナの仕様、外装の形状などを考慮し、感度および指向性において最適となる移動量に設定するのが好ましい。
【００３４】
レンズ鏡筒は、特開２００２−１４２７１号公報や特開２００３−１９５１４６号公報に開示された方法を用いて、駆動してもよい。
【００３５】
次に、本実施例のアンテナ８の配置について説明する。アンテナ８は、レンズ鏡筒の先端部（光軸方向先端部）における、図１に示す一点鎖線Ｂの断面上に実装されており、図４に示すようにレンズ鏡筒が沈胴状態にあるときはカメラ本体の内側に配置され、図５に示すようにレンズ鏡筒が撮影領域に駆動されたときはカメラ本体の外側に配置される。
【００３６】
アンテナ８へのエネルギ供給は、光軸方向に伸縮可能な弾性部材によって構成されたケーブル８１を用いて行う。上述の構成によれば、レンズ鏡筒が駆動されることにより、レンズ鏡筒の先端（保持筒５３の先端）に設けられたアンテナ８が光軸方向に進退するとともに、このアンテナ８の位置に応じてケーブル８１が伸縮する。なお、撮影モード時はアンテナ８へのエネルギ供給を停止し、通信モード時はアンテナ８へのエネルギ供給を行う。
【００３７】
ところで、カメラには、電気部品としての実装基板、実装基板のシールドケースなど数多くの金属部品が組み込まれており、カメラ外装が金属で構成されている場合もある。無線周波数帯域の電波においては、これらの金属部品が反射部材となり、無線信号の指向性に悪影響を及ぼすおそれがある。本実施例では、アンテナ８をレンズ鏡筒の先端部に配置しているため、レンズ鏡筒を撮影領域、つまり光軸方向前方に駆動することにより、アンテナ８をカメラ本体から離れた位置に退避させることができる。これにより、カメラの通信機能を安定させることができる。なお、アンテナ８は、レンズ鏡筒の長手方向に対して直交する方向に延びるようにして配置されている。
【００３８】
次に、図２２及び図２３を参照して、アンテナ８から出力された電波の挙動について説明する。ここで、図２２はレンズ鏡筒が沈胴状態にあるときの電波の挙動を示し、図２３はレンズ鏡筒が撮影状態にあるときの電波の挙動を示している。
【００３９】
レンズ鏡筒をカメラ本体内の格納領域に格納した状態で、アンテナ８にエネルギを供給すると、アンテナ８から出力された無線信号は、図２２に示すように角度β（βは１８０度未満）の範囲で広がる。他方、レンズ鏡筒をカメラ本体外の撮影領域に駆動した状態で、アンテナ８にエネルギを供給すると、アンテナ８から出力された無線信号は、図２３に示すように角度βよりも大きい角度α（１８０度以上）の範囲で広がる。つまり、本実施例のようにレンズ鏡筒の先端にアンテナ８を配置することにより、撮影状態または撮影準備状態において、広範囲にわたり電波を供給することができる。
【００４０】
次に、平偏波および垂直偏波に関する特性について説明する。図７および図８はデジタルカメラを正面図であり、これらの図は互いにレンズ鏡筒の光軸周り方向の位置が異なっている。また、アンテナ８は、鏡筒内部に実装されているが、図７及び図８ではアンテナ８を投影して図示している。
【００４１】
アンテナ８は、鏡筒の姿勢により図７や図８の位置に固定することができる。あらかじめ決められたアンテナの位置を記憶しておき、この位置に対して先頭筒をｘ度回転することにより、アンテナ８の向きを調整している。したがって、受信信号を検出し、受信状態（感度）が最適（最大）になるようにアンテナ８の向きを調整することができる。通信対象となる相手側のアンテナの実装方法が原因となり、アンテナから出力される電波が均一にならず、水平方向（水平偏波）と垂直方向（水平偏波）に不均一性が生じることがある。この場合に、水平偏波または垂直偏波の強弱に応じて、受信側において理想的に受信できるようにアンテナ（アンテナ）の向きを変更することが可能となる。なお、受信状態によってはレンズ鏡筒を沈胴させた状態で通信することも可能である。
（実施例２）
本実施例のデジタルカメラについて、図９乃至図１３を用いて説明する。ここで、図９は発光ユニットが開き方向に駆動されたときのデジタルカメラの外観斜視図であり、図１０は発光ユニットが閉じ方向に駆動されたときのデジタルカメラの外観斜視図であり、図１１はデジタルカメラの正面図であり、図１２は発光ユニットが開き方向に駆動されたときのデジタルカメラの側面図であり、図１３は発光ユニットが閉じ方向に駆動されたときのデジタルカメラの側面図である。なお、図９乃至図１３では、アンテナは投影して図示しており、実施例１と同一の構成要素は、同一符号を付して説明を省略する。５７はレンズ鏡筒、４１はカメラ本体に対して開閉駆動される発光ユニット（可動部）、６１は発光ユニットのON／OFFを切り替える発光モード切替えスイッチである。８１はアンテナであり、発光ユニット４１の上部に設けられている。
【００４２】
次に、デジタルカメラの動作を説明する。まず、図９の電源スイッチ１を押し込むことによりデジタルカメラに電源を投下する。カメラには撮影モード、再生モード、通信モードがあり、通信モードには撮影後の静止画像ファイルを無線ＬＡＮによりほかの通信端末へ転送する静止画像転送モードと、撮影中のライブ画像を転送するライブ画像転送モードを備えている。図６の操作部材３４を構成するモード選択ダイアルを操作することにより撮影モードが選択されている場合、実施例１で説明したように、レンズ鏡筒駆動回路５０により鏡筒駆動モータにトルクがかかり、図２の保持筒５３が光軸方向前方に駆動され、保持筒５３は、図３に示すように、カメラ本体の前方に突出する。
【００４３】
撮影モードが選択されると、レンズ鏡筒駆動回路５０によりレンズ鏡筒５７が光軸方向前方の撮影領域に駆動される。カメラが撮影モードに設定されている場合、ユーザは撮影モード切替えスイッチ６１を操作して発光モードを選択する。
【００４４】
一般的に自動発光モード、強制発光モード、発光禁止モードを選択することができる。自動発光モードでは、撮影時にＡＥ基準信号が所定のレベルよりも低い場合に、通常撮影では露出アンダーとなってしまうため、カメラは自動的に発光ユニット４１の発光による撮影を行う。強制発光モードでは、ＡＥ基準信号によらず、常に発光ユニット４１の発光による撮影を行う。発光禁止モードでは、ＡＥ基準信号によらず、常に発光ユニット４１を使わずに撮影を行う。
【００４５】
ここで、発光ユニットの発光準備時のカメラ動作を図１２および図１３を用いて説明する。これらの図において、８２はアンテナ８１へエネルギを供給するためのケーブル、８３は発光ユニットの回転軸、８４は発光ユニット収納時の基準面である。
【００４６】
８５は発光ユニットを開方向に駆動するための駆動力を発生するスプリング、８６は電磁石、８７は永久磁石である。
【００４７】
８８はキセノン管、８９はキセノン管８８から光軸方向後方に発せられた光を、光軸方向前方に反射する反射傘である。
【００４８】
図１３に示すように発光ユニット４１は、通常、撮影前の状態において、カメラ本体内に収容されている。このとき図１３の永久磁石８７と電磁石８６は、Ｎ極およびＳ極がお互いに向き合い、これらの磁石８６、８７に巻き回されたコイルに通電することにより、お互いに引き合う力が生じる。発光ユニット４１と基準面８４は、チャージ状態にあるスプリング８５によって連結されているため、スプリング８５のバネ力によって互いに離れる方向に付勢される。
【００４９】
ところが、スプリング８５のバネ力よりも磁石８６、８７の磁力のほうが強いため、このバネ力に抗して磁石８６、８７は互いに引き合い、発光ユニット４１はカメラ本体内の収納位置に保持される。
【００５０】
次に、電磁石８６に巻き回されたコイルに逆通電することにより、磁石８６、８７が同一の極性になるように極性を反転させる。これにより、磁石８６、８７の間に反発力が生じるため、この反発力とスプリング８５のバネ力を受けて、発光ユニット４１は、回転軸８３を回転軸として開方向に駆動される。
【００５１】
このように、自動発光モードが選択されていてＡＥ基準信号が所定のレベルよりも低い場合と、強制発光モードが選択されている場合、発光ユニット４１は自動的に開方向に駆動され、撮影準備動作が開始される。
【００５２】
また、カメラが通信モードに設定されている場合、発光ユニット４１は自動的に開位置に駆動され、発光ユニット４１の上部に設けられたアンテナ８１は、カメラ本体内から退避する。上述の構成によれば、アンテナ８１をカメラ本体から退避させた位置で駆動することができるため、安定的な通信機能を備えたカメラを提供することができる。
【００５３】
通信モード時には、ケーブル８２を介してアンテナ８１にエネルギが供給され、撮影モードまたは再生モード時には、アンテナ８１へのエネルギ供給は停止される。
【００５４】
次に、図１２及び図１３を参照して、アンテナ８１から送信される無線信号の挙動について説明する。図１０のように発光ユニット４１を閉じ位置に保持した状態で、アンテナ８１にエネルギを供給すると、アンテナ８１から送信された無線信号は、図１３に示すように角度β（１８０度未満）の範囲で広がる。他方、図９のように発光ユニット４１を開き位置に保持した状態で、アンテナ８１にエネルギを供給すると、アンテナ８１から送信された無線信号は、図１２に示すように角度βよりも大きい角度α（１８０度以上）の範囲で広がる。
【００５５】
なお、通信モード時は受信信号を検出した後、受信状態（感度）が最適（必要十分）でないときに、発光ユニットを開位置に駆動するように構成してもよい。
【００５６】
（実施例３）
本実施例のデジタルカメラについて、図１４乃至図１９を用いて説明する。図１４は、バリアングルＬＣＤの表示面がカメラ本体の内側を向いている状態にあるときのデジタルカメラの背面斜視図であり、図１５はバリアングルＬＣＤが開き状態にあるときのデジタルカメラの背面斜視図であり、図１６はバリアングルＬＣＤを図１５の開き状態から回転させたときのカメラの背面斜視図である。図１７はバリアングルＬＣＤが開き状態にあるときのデジタルカメラの背面斜視図であり、図１８はバリアングルＬＣＤの表示面がカメラ本体の内側を向いている状態にあるときのデジタルカメラの背面斜視図であり、図１９は図１７のカメラを撮影レンズ側から見た状態である。図２０は図１４または図１８をカメラの上側から見た図、図２１は図１５または図１７をカメラの上側から見た図、図２９は開き状態にあるバリアングルＬＣＤの動作図である。バリアングルＬＣＤの操作は手動で行う。なお、アンテナは外見では認識することはできないが、ここでは説明のためアンテナを投影して図示している。
【００５７】
６２はＬＣＤユニット（可動部）、６３はＬＣＤ表示面、６４はアンテナ、６５はバリアングル部材、６６はＬＣＤ表示部開閉検出スイッチ（以下、「検出スイッチ」という）、６７はＬＥＤである。なお、実施例１と同一の構成要素は、同一符号を付して説明を省略する。
【００５８】
ＬＣＤユニット６２は開閉回転自在のバリアングル機構を有し、ＬＣＤユニット６２を９のバリアングル部材６５の垂直方向を回転軸として１８０度開閉することができる。さらに、図１５、図１６および図１７に示すように、ＬＣＤユニット６２をバリアングル部材６５の水平方向を回転軸として１８０度回転することができる。検出スイッチ６６によりＬＣＤ表示部が開状態か閉状態かをＣＰＵは検出することができる。すなわち、図１５〜図１７および図１９，図２１に示すように、検出スイッチ６６が押されていなければ開状態であり、図１４のように検出スイッチ６６がＬＣＤ表示部の表面により押されている、または図１８のようにＬＣＤ表示部の裏面により押されていれば閉状態である。バリアングル機構を搭載したカメラに関しては特開２００３−０６０９４２号公報に開示されているため詳細な説明を省略する。
【００５９】
本実施例ではバリアングル機構を有する開閉自在のＬＣＤユニット６２の水平回転軸または垂直回転軸の端と対をなす部分に、アンテナ６４を実装している。
【００６０】
次に、図２０及び図２１を参照して、アンテナ６４から送信される無線信号の挙動について説明する。ＬＣＤユニット６２をカメラ本体に収納した状態で、アンテナ６４にエネルギを供給すると、アンテナ６４から送信された無線信号は、図２０に示すように角度β（１８０度未満）の範囲で広がる。他方、ＬＣＤユニット６２が図１５のように開き位置に保持した状態で、アンテナ６４にエネルギを供給すると、アンテナ６４から送信された無線信号は、図２１に示すように角度βよりも大きい角度α（１８０度以上）の範囲で広がる。
【００６１】
そして、カメラが通信モードに設定されている場合、アンテナ６４にエネルギ供給を行い、撮影モードまたは再生モード時にはアンテナ６４へのエネルギ供給を停止する。ＬＣＤユニット６２は、開閉可能に構成されているため、受信信号を検出し、受信状態（感度）が最適（最大）になるようにアンテナ６４の位置を設定することができる。すなわち、図２１に示すように、角度γの範囲内においてＬＣＤユニット６２を自由に配置することが可能であり、図２９に示すように、角度ηまたは角度ζの範囲内においてＬＣＤユニット６２を自由に配置することも可能である。これにより、ＬＣＤユニット６２を受信状態に応じて理想的な位置へ移動させて、通信することが可能である。
【００６２】
上述のようにＬＣＤユニット６２を開状態にして無線通信を行うことにより、理想的な通信状態を確保することができる。通信モードが選択された状態で、ＣＰＵはＬＣＤユニット６２が閉状態にあることを検出すると、ＬＣＤ表示面６３またはＬＥＤ６７を用いて、ＬＣＤユニット６２を開状態にするように警告文、警告マークまたは警告ランプを表示するように構成されている。これにより、ユーザに理想的な通信状態を確保するように警告することができる。この警告は表示に限定するものではなく、図６のスピーカ４９などの音声再生手段を用いて、音声によりユーザへ警告を促すことも可能である。
【００６３】
（実施例４）
本実施例のデジタルカメラについて図２４乃至図２８を用いて説明する。ここで、図２４はアンテナを実装したデジタルカメラの前方斜視図である。図２５及び図２６は、デジタルカメラの図２４の一点鎖線Aにおける断面図であり、図２５は沈胴状態、図２６は撮影状態を示している。図２７は図２４のデジタルカメラの正面図であり、図２８は撮影状態にあるデジタルカメラの上面図である。
【００６４】
実施例１と同一の構成要素については、同一符号を付して説明を省略する。
１０１は固定筒５４に固定され導電性物質で構成されたブラシ、１０２はモールド部材で構成された保持筒５３の一部分に導電性を持たせるための金属部材である。アンテナ８は、実施例１と異なり、光軸方向と略平行な方向に延びている。
【００６５】
次に、デジタルカメラの動作について説明する。まず、電源スイッチ１を押し込むことによりデジタルカメラの電源を投下する。カメラには少なくとも撮影モード、再生モード、通信モードがあり、通信モードには撮影後の静止画像ファイルを無線ＬＡＮによりほかの通信端末へ転送する静止画像転送モードと、撮影中のライブ画像を転送するライブ画像転送モードとを備えている。
【００６６】
図６の操作部材３４を構成するモード選択ダイアルを操作することにより、撮影モードまたは通信モードが選択された場合、レンズ鏡筒駆動回路５０により鏡筒駆動モータにトルクがかかり、保持筒５３は、光軸方向前方に駆動され、図２６に示すように、カメラ前方に突出する。
【００６７】
図２５および図２６の保持筒５３は、モールド部材で構成されている。固定筒５４の内周および保持筒５３の外周には不図示のタップが型取ってあり、固定筒５４及び保持筒５３は互いに係合しており、レンズ鏡筒駆動回路５０から駆動力を受けることにより、保持筒５３は、光軸方向前方に移動するように構成されている。
【００６８】
保持筒５３は、図２６に示すように所定距離Ｄだけ移動するように駆動制御される。これにより、図２６に示すように、保持筒５３にはめ込まれた（または接続された）金属部材１０１が、ブラシ１０２に対して接触する。
【００６９】
固定筒５４を導電性物質で構成（ブラシ１０２と金属外装とを一部分だけ接続するようにしてもよい）しておくと、導電性物質で構成される（またはモールド部材に導電性塗幕を施してもよい）外装と接続することができる。所定距離Dだけ光軸方向前方に駆動された状態から、レンズ鏡筒を沈胴領域へ駆動すると、図２５に示すように、金属部材１０１と導電性ブラシ１０２との電気的な接続が絶たれる。
【００７０】
アンテナ８は光軸方向に進退可能な保持筒５３の図２４の一点鎖線Aの断面上に実装されており、図２５に示すように、レンズ鏡筒が沈胴しているときはカメラ本体内に収容され、図２６に示すように、レンズ鏡筒が撮影領域に駆動されたときはカメラ本体の外側に突出する。
【００７１】
アンテナ８へのエネルギ供給は、光軸方向に収縮可能なケーブル８１を使用し、保持筒５３が撮影領域に駆動されたときはケーブル８１が延び、保持筒５３が沈胴領域に退避したときはケーブル８１が縮むように構成されている。撮影モード時はアンテナ８へのエネルギ供給を停止し、通信モード時はアンテナ８へのエネルギ供給を実行する。
【００７２】
図２６のアンテナ８用のＧＮＤとして金属部材１０１を接続しておき、レンズ鏡筒が光軸方向前方に移動したときに、金属部材１０１、ブラシ１０２及び導電性外装が電気的に接続され、アンテナ８のＧＮＤプレーンとしてカメラの前面（図２８の１０３）面積分確保されることになり、理想的なアンテナ（仮想アンテナ）を形成することができる。
【００７３】
上述の実施例によれば、アンテナがカメラ本体から突出した位置に配置されるため、カメラを保持した際に、アンテナが手の中に隠れることがなくなり、人体によって無線通信が妨げられるおそれを軽減できる。
【００７４】
アンテナを略カメラ中央部に配置されるレンズ鏡筒に設けた場合、理想的な電波状態（感度および指向性）の下無線通信をおこなうことができる。
【００７５】
また、通信モードを選択すると、アンテナに電源が投下されるとともに、自動的にアンテナをカメラ本体から突出した位置に駆動することができる。
【００７６】
また、電波状態を検出して、この検出結果に応じてアンテナの位置および向きを、最適な位置に設定することができる。
【００７７】
さらに、レンズ鏡筒が導電性物質で構成されている場合（金属外装である場合）、この導電性物質をアンテナのＧＮＤプレーンの一部として構成することにより、理想的なアンテナを形成することができる。
【図面の簡単な説明】
【００７８】
【図１】実施例１のカメラ外観図
【図２】実施例１のカメラ断面図
【図３】実施例１のカメラ断面図
【図４】実施例１のカメラ断面図
【図５】実施例１のカメラ断面図
【図６】カメラの機能ブロック図
【図７】実施例１のカメラの正面図
【図８】実施例１のカメラの正面図
【図９】実施例２のカメラ外観図
【図１０】実施例２のカメラ外観図
【図１１】実施例２のカメラの正面図
【図１２】実施例２のカメラ断面図
【図１３】実施例２のカメラ断面図
【図１４】実施例３のカメラ外観図
【図１５】実施例３のカメラ外観図
【図１６】実施例３のカメラ外観図
【図１７】実施例３のカメラ外観図
【図１８】実施例３のカメラ外観図
【図１９】実施例３のカメラ外観図
【図２０】実施例３のカメラ上面図
【図２１】実施例３のカメラ上面図
【図２２】沈胴状態にあるときの無線信号の振る舞いを図示したカメラ上面図
【図２３】撮影状態などにあるときの無線信号の振る舞いを図示したカメラ上面図
【図２４】実施例４のカメラの正面斜視図
【図２５】実施例４のカメラの断面図
【図２６】実施例４のカメラの断面図
【図２７】実施例４のカメラの正面図
【図２８】実施例４のカメラの正面図
【図２９】実施例３のカメラの上面図
【図１】
2006135385.tif 000003
【図２】
2006135385.tif 000004
【図３】
2006135385.tif 000005
【図４】
2006135385.tif 000006
【図５】
2006135385.tif 000007
【図６】
2006135385.tif 000008
【図７】
2006135385.tif 000009
【図８】
2006135385.tif 000010
【図９】
2006135385.tif 000011
【図１０】
2006135385.tif 000012
【図１１】
2006135385.tif 000013
【図１２】
2006135385.tif 000014
【図１３】
2006135385.tif 000015
【図１４】
2006135385.tif 000016
【図１５】
2006135385.tif 000017
【図１６】
2006135385.tif 000018
【図１７】
2006135385.tif 000019
【図１８】
2006135385.tif 000020
【図１９】
2006135385.tif 000021
【図２０】
2006135385.tif 000022
【図２１】
2006135385.tif 000023
【図２２】
2006135385.tif 000024
【図２３】
2006135385.tif 000025
【図２４】
2006135385.tif 000026
【図２５】
2006135385.tif 000027
【図２６】
2006135385.tif 000028
【図２７】
2006135385.tif 000029
【図２８】
2006135385.tif 000030
【図２９】
2006135385.tif 000031